(57)【特許請求の範囲】
【請求項１】
装備され、一端が引き出されるロール物の巻かれている材料に設けられた無線タグから情報の読み出しを行う読取部と、
前記ロール物から前記材料を引き出す処理部と、
前記ロール物から前記材料の一部が引き出された後に前記読取部が前記情報を読み出せないときには、第１の信号を出力する出力部と、を備え、
前記出力部は、前記第１の信号を出力した後、処理低減を示す信号を出力し、
前記処理部は、前記処理低減を示す信号が入力されると、前記材料を引き出す量を所定量減らす、
ことを特徴とするプリンタ装置。
【請求項２】
前記出力部は、前記読取部が読み出した前記情報に含まれる前記ロール物の種類を示す情報が、所定の種類を示す情報と異なるときには、第２の信号を出力する、
ことを特徴とする請求項１に記載のプリンタ装置。
【請求項３】
前記出力部は、前記読取部が読み出した前記情報に含まれる前記ロール物の消費期限を示す年月日が、現在の年月日を過ぎているときには、第３の信号を出力する、
ことを特徴とする請求項１乃至２のいずれか１項に記載のプリンタ装置。
【請求項４】
前記処理部は、前記処理低減を示す信号が入力されると、前記材料を引き出す量を、入力された広告データのデータ量分減らす、
ことを特徴とする請求項１乃至３のいずれか１項に記載のプリンタ装置。
【請求項５】
前記読取部は、所定のタイミング毎に電波を発信し、前記発信に応じて前記無線タグから電波を受信したときには、受信した前記電波から抽出した前記情報を出力し、
前記出力部は、前記材料の一部が引き出された後に、前記所定のタイミング間の時間よりも長い所定時間内に、前記読取部から前記情報が入力されないときには、前記第１の信号を出力する、
ことを特徴とする請求項１乃至４のいずれか１項に記載のプリンタ装置。
【請求項６】
装備され、一端が引き出されるロール物の巻かれている材料に設けられた無線タグから情報の読み出しを行う読取ステップと、
前記ロール物から前記材料を引き出す処理ステップと、
前記ロール物から前記材料の一部が引き出された後の前記読取ステップにおいて前記情報を読み出せないときには、第１の信号を出力する出力ステップと、を有し、
前記第１の信号を出力した後の前記処理ステップにおいては、前記材料を引き出す量を所定量減らす、
ことを特徴とするプリンタ装置における通知方法。
【請求項７】
前記読取ステップにおいて読み出された前記情報に含まれる前記ロール物の種類を示す情報が、所定の種類を示す情報と異なるときには、第２の信号を出力する、
ことを特徴とする請求項６に記載のプリンタ装置における通知方法。
【発明の詳細な説明】
【技術分野】
【０００１】
本発明は、装置及び通知方法に関し、特に、ロール紙の残量が少なくなったことを通知する装置及び通知方法に関する。
【背景技術】
【０００２】
一般的に、ロール紙の残量が少なくなったことを通知する装置が知られている。上述の装置は、以下の特許文献１に開示されている。
【０００３】
特許文献１のプリンタ装置は、給紙ローラと、サーマルヘッドと、カッターと、を備える。特許文献１のプリンタ装置には、巻芯に長尺の記録紙を巻きつけたロール紙が装填される。
【０００４】
特許文献１のプリンタ装置は、給紙ローラを回転させることでロール紙から記録紙を引き出し、引き出した記録紙に画像等をサーマルヘッドによって熱記録する。特許文献１のプリンタ装置は、記録紙の記録済み部分をカッターにより切断し、装置外に排紙する。特許文献１のプリンタ装置は、記録紙の未記録部分をロール紙に巻き戻す。
【０００５】
特許文献１のプリンタ装置は、記録紙に画像等をプリントするのと並行して、記録紙の残量を算出する。その際、特許文献１のプリンタ装置は、プリント枚数をカウントすることにより記録紙の残量を算出する。特許文献１のプリンタ装置は、算出した記録紙の残量、すなわちロール紙の残量が所定量以下になった場合には、その旨を警告してユーザに知らせる。
【０００６】
上述の構成や動作の通り、特許文献１のプリンタ装置は、ロール紙の残量が所定量以下になったことをユーザに通知することができる。
【先行技術文献】
【特許文献】
【０００７】
【特許文献１】特開２００５−２１９４０６号公報
【発明の概要】
【発明が解決しようとする課題】
【０００８】
しかし、特許文献１のプリンタ装置は、ロール紙の残量が所定量以下になったことを正確にユーザに通知することができないという課題があった。
【０００９】
その理由を以下に説明する。
【００１０】
まず、特許文献１のプリンタ装置は、プリントした枚数をカウントすることでロール紙の残量を算出する。その為には、特許文献１のプリンタ装置は、一定の長さで記録紙をプリントしなければならない。しかし、特許文献１のプリンタ装置は、プリントするのは記録済部分であり、プリントする記録紙は任意の長さである。その為、特許文献１のプリンタ装置は、プリントした枚数をカウントしても、それまでにプリントした記録紙（ロール紙）の長さを正確に算出できず、残りのロール紙の残量も正確に算出できない。その結果、特許文献１のプリンタ装置は、ロール紙の残量が所定量以下になったことを正確にユーザに通知することができなかった。
【００１１】
本発明は、上記課題を解決する装置及び通知方法を提供することを目的とする。
【課題を解決するための手段】
【００１２】
上記目的を達成するために、本発明の装置は、装備され、一端が引き出される連続した材料に設けられた無線タグから情報の読み出しを行う読取部と、前記連続した材料の一部、又は全部が引き出された後に前記読取部が前記情報を読み出せないときには、第１の信号を出力する出力部と、を備える。
【００１３】
上記目的を達成するために、本発明の通知方法は、装備され、一端が引き出される連続した材料に設けられた無線タグから情報の読み出しを行う読取ステップと、前記連続した材料の一部、又は全部が引き出された後の前記読取ステップにおいて前記情報を読み出せないときには、第１の信号を出力する出力ステップと、を有する。
【発明の効果】
【００１４】
本発明によれば、装置は、ロール物の残量が所定量以下になったことを正確にユーザに通知することができる。さらに、本発明の装置は、ロール物と同様に、連続した材料であれば、その残量が所定量以下になったことを正確にユーザに通知することができる。
【図面の簡単な説明】
【００１５】
【図１】本発明の第１の実施の形態におけるプリンタ装置の構成例を示す図である。
【図２】本発明の第１の実施の形態におけるプリンタ装置に装填されるロール紙について説明する為の図である。
【図３】本発明の第１の実施の形態におけるプリンタ装置の動作（タグから情報を読み出す動作）を説明する為の図である。
【図４】本発明の第１の実施の形態におけるプリンタ装置の動作（情報を読み出す動作と並行して動作する判別動作）を説明する為の図である。
【図５】本発明の第２の実施の形態におけるプリンタ装置の構成例を示す図である。
【図６】本発明の第２の実施の形態におけるプリンタ装置の動作を説明する為の図である。
【図７】本発明の第３の実施の形態におけるプリンタ装置の構成例を示す図である。
【図８】本発明の第３の実施の形態におけるプリンタ装置の動作を説明する為の図である。
【図９】本発明の第４の実施の形態における装置の構成例を示す図である。
【発明を実施するための形態】
【００１６】
次に本発明の実施形態について、図面を参照して詳細に説明する。
【００１７】
≪第１の実施の形態≫
[概要]
本実施形態のプリンタ装置は、芯に近い用紙に無線タグが貼り付けられたロール紙が装填される。本実施形態のプリンタ装置は、順次、ロール紙から用紙を引き出して印刷と排紙を行い、やがて無線タグが貼り付けられている芯に近い用紙についても印刷と排紙を行う。当該用紙が排紙されると無線タグからの電波が届かなくなる。
【００１８】
本実施形態のプリンタ装置は、無線タグから電波が届かず、情報を読み出せなくなると、ＬＥＤを点灯する。このとき、ロール紙は、残りが所定量以下（具体的には、無線タグが貼付されている部分から芯までの長さ以下）となっており、本実施形態のプリンタ装置は、ＬＥＤ点灯により、ロール紙の残量が所定量以下になったことをユーザに通知することができる。
【００１９】
以下に、本発明の第１の実施の形態におけるプリンタ装置の構成や機能、動作について説明する。
【００２０】
［構成の説明］
まず、本発明の第１の実施の形態におけるプリンタ装置の構成と機能について説明する。図１は、本発明の第１の実施の形態におけるプリンタ装置の構成例を示す図である。
【００２１】
（１）本発明の第１の実施の形態におけるプリンタ装置の構成
本実施形態のプリンタ装置は、図１に示されるように、印刷機能部１、回転ローラ２、切断排紙部３、ＲＦ（Ｒａｄｉｏ  Ｆｒｅｑｕｅｎｃｙ）リーダ４、及び出力部５を備える。印刷機能部１は、回転ローラ１１、１２、１３とサーマルヘッド１４を備える。
【００２２】
印刷機能部１は、回転ローラ２、切断排紙部３、及び出力部５と導線を介して接続される。出力部５は、ＲＦリーダ４と導線を介して接続される。なお、印刷機能部１には、図示していないが、一般的なＰＣ（Ｐｅｒｓｏｎａｌ  Ｃｏｍｐｕｔｅｒ）が本実施形態のプリンタ装置のユーザによって接続される。
【００２３】
さらに、図１に示されるように、本実施形態のプリンタ装置には、そのユーザにより、ロール紙６が装填される。
【００２４】
（２）ロール紙６について
図２は、本発明の第１の実施の形態におけるプリンタ装置に装填されるロール紙６について説明する為の図である。
【００２５】
ロール紙６は、図２に示されるように、長尺の感熱紙が巻芯に巻かれた一般的な感熱ロール紙である。ロール紙６は、レシート用紙であってもよい。
【００２６】
ロール紙６の巻芯に近い部分には、ＲＦタグ７がロール紙６の製造者によって貼り付けられている。ロール紙６の製造者は、ロール紙６（感熱紙）の全長が２３ｍとすると、巻芯から２．３ｍ（残り１割）の場所にＲＦタグ７を貼り付けてもよい。ＲＦタグ７は、一般的な両面テープや接着剤によってロール紙６に貼り付けることができる。
【００２７】
（３）ＲＦタグ７について
ＲＦタグ７は、一般的なＲＦタグであり、図２に示されるように、情報を記憶するＩＣ（Ｉｎｔｅｇｒａｔｅｄ  Ｃｉｒｃｕｉｔ）メモリチップとアンテナを備える。
【００２８】
ＩＣメモリチップには、ＲＦタグ７を示す識別子等の情報（以下、「タグ情報」という）が、ロール紙６の製造者により書き込まれている。ロール紙６の製造者は、一般的なＲＦタグ用のリーダライタ装置を用いて、タグ情報をＩＣメモリチップに書き込むことができる。
【００２９】
ＲＦタグ７は、電磁誘導型のＲＦタグであってもよく、その場合、対向するＲＦリーダから電波を受信すると、当該電波を電流に変換し、それを電源として、ＩＣメモリチップに記憶するタグ情報を電波として送信する。ＲＦタグ７から電波が届く範囲は、数センチ程度の範囲である。
【００３０】
（４）本実施形態のプリンタ装置に備わる各機能部の機能
以下、各機能部の機能の詳細を説明する。
【００３１】
（４−１）印刷機能部１の機能
印刷機能部１は、一般的なプリンタ機能を備える。すなわち、印刷機能部１は、接続するＰＣから印刷データが入力されると、回転ローラ２、１１、１２、１３を駆動してロール紙から用紙（感熱紙）を引き出し、引き出した感熱紙に、順次、印刷データを印刷する。その際、印刷機能部１は、サーマルヘッド１４を用い、熱記録により印刷を実施してもよい。
【００３２】
また、印刷機能部１は、入力された印刷データを全て印刷すると、所定時間経過後に、回転ローラ２、１１、１２、１３の駆動を停止し、印刷終了を示す電気信号を切断排紙部３に出力する。印刷した感熱紙を切断し、排紙する契機を切断排紙部３に与える為である。
【００３３】
上述の所定時間は、印刷した用紙（感熱紙）が印刷機能部１から切断排紙部３に届くまでの時間（以下、「到着時間」という）より長い時間であり、本実施形態のプリンタ装置の製造者によって印刷機能部１に設定される。本実施形態のプリンタ装置の製造者は、到着時間を実測して印刷機能部１に設定してもよい。
【００３４】
（４−２）回転ローラ２、１１、１２、１３について
回転ローラ２、１１、１２、１３は、一般的な回転ローラであり、印刷機能部１により駆動される。回転ローラ２は、図１に示されるようにロール紙６と当接し、反時計回りに回転することで、ロール紙６から感熱紙を引き出すローラである。回転ローラ１１、１２、１３は、反時計回りに回転し、ロール紙６（感熱紙）を切断排紙部３に搬送するローラである。
【００３５】
（４−３）切断排紙部３の機能
（４−３−１）裁断機能
切断排紙部３は、一般的な裁断機と同様に、周知の裁断機能を備える。すなわち、切断排紙部３は、印刷終了を示す電気信号が入力されると、搬送されてきたロール紙６をカッターにより切断する。
【００３６】
切断排紙部３は、一般的な裁断機と同様に、搬送されてきたロール紙６を所定のサイズ（例えばＡ４サイズ）毎に切断してもよい。所定のサイズは、本実施形態のプリンタ装置の製造者によって設定される。
【００３７】
（４−３−２）排紙機能
また、切断排紙部３は、切断した紙を排紙トレイに排紙する機能を備える。その為に、切断排紙部３は、その下面に、切断した紙を排紙する排紙口を備え、さらに、切断した紙を排紙口まで導くガイド板を備える。排紙口の下には、排紙トレイが備わる。切断された紙は、ガイド板に沿って落下し、排紙口から排紙トレイに排出される。
【００３８】
排紙トレイは、ＲＦタグ７が貼り付けられた用紙が排紙されたときに、その用紙のＲＦタグ７の電波がＲＦリーダ４に届かない場所に備わる。
【００３９】
（４−３−３）プリントアウト完了通知機能
切断排紙部３は、搬送されてきたロール紙６を切断（排紙）した後、所定時間経過すると、プリントアウト完了を示す信号を出力部５に出力する。
【００４０】
なお、上述の所定時間は、ロール紙６が切断後、排紙トレイに排紙されるまでの時間（以下、「排紙時間」という）よりも長い時間である。上述の所定時間は、本実施形態のプリンタ装置の製造者によって切断排紙部３に設定される。本実施形態のプリンタ装置の製造者は、排紙時間を実測して所定時間を切断排紙部３に設定してもよい。
【００４１】
（４−４）ＲＦリーダ４の機能
ＲＦリーダ４は、所定のタイミングになると、一般的なＲＦリーダ機能を機能させる。具体的には、ＲＦリーダ４は、所定のタイミングになると、ロール紙に向けて電波を送信する。上述の所定のタイミングは、一定間隔毎のタイミングであり、本実施形態のプリンタ装置の製造者によってＲＦリーダ４に設定される。また、ＲＦリーダ４は、ＲＦタグ７から電波を受信すると、受信した電波からタグ情報を抽出し、抽出したタグ情報を電気信号として出力部５に出力する。
【００４２】
（４−５）出力部５の機能
出力部５は、プリントアウト完了を示す信号が入力されると、プリントアウト機能によりロール紙６からＲＦタグ７が貼付されている部分が排紙され、ＲＦリーダ４がＲＦタグ７からタグ情報を読み出せなくなっているのか否かを判別する。具体的な判別方法については後述の［動作の説明］で詳細に説明する。なお、判別を行う為に、出力部５は、一般的なメモリと、レジスタと、ＬＥＤ（Ｌｉｇｈｔ  Ｅｍｉｔｔｉｎｇ  Ｄｉｏｄｅ）と、を備えるものとする。
【００４３】
出力部５は、ＲＦタグ７が貼付されている部分がロール紙６から排紙され、ＲＦタグ７からタグ情報が読み出せなくなっている場合には、電気信号をＬＥＤに出力する。ロール紙６の残量が、所定量以下（すなわち、ＲＦタグ７が貼付されている部分から芯までの長さ以下）となっていることをユーザに通知する為である。ＬＥＤは、電気信号が入力されると、発光、若しくは点灯する。
【００４４】
なお、所定量とは、以下、「ＲＦタグ７が貼付されている部分から芯までの長さ」のことをいうものとする。
【００４５】
（５）各機能が備わる機能部について
印刷機能部１は、回転ローラと、サーマルヘッドと、電子回路と、ＲＡＭ（Ｒａｎｄｏｍ  Ａｃｃｅｓｓ  Ｍｅｍｏｒｙ）と、ＣＰＵ（Ｃｅｎｔｒａｌ  Ｐｒｏｃｅｓｓｉｎｇ  Ｕｎｉｔ）等の演算処理装置と、を用いて実現することができる。印刷機能部１の回転ローラ１１、１２、１３及び回転ローラ２は、モータと、ゴム製の回転体を用いて実現することができる。切断排紙部３は、カッターと、裁断台と、電子回路を用いて実現することができる。ＲＦリーダ４は、一般的なＲＦリーダと電子回路を用いて実現することができる。出力部５は、電子回路と、ＲＡＭと、レジスタと、ＬＥＤを用いて実現することができる。
【００４６】
［動作の説明］
本実施形態のプリンタ装置の動作を以下に説明する。図３、４は、本実施形態のプリンタ装置の動作を説明する為の図である。
【００４７】
（１）一般的なプリントアウト処理
まず、本実施形態のプリンタ装置は、一般的なプリンタと同様、接続するＰＣから印刷データが入力されると、ロール紙６から用紙（感熱紙）を引き出し、引き出した感熱紙に、印刷データを印刷する。また、本実施形態のプリンタ装置は、印刷したロール紙６を切断し、排紙トレイに排紙する。
【００４８】
上述のプリントアウト処理によって、ロール紙６から感熱紙が順次引き出され、印刷、切断、及び排紙（以下、「プリントアウト」という）されていく。
【００４９】
上述のプリントアウト処理（印刷、切断、及び排紙処理）は、印刷機能部１と切断排紙部３によって実現される。その際、「（４−３−３）プリントアウト完了通知機能」で説明した通り、切断排紙部３は、印刷した感熱紙を排紙した後は、プリントアウト完了を示す信号を出力部５に出力する。
【００５０】
（２）タグ情報読み出し動作（ＲＦリーダ４と出力部５の動作）
（２−１）動作概要
一方、本実施形態のプリンタ装置は、上述のプリントアウト処理と並行して、周期的にロール紙６のＲＦタグ７からタグ情報を読み出す。本実施形態のプリンタ装置は、ＲＦリーダ４を用いて、タグ情報の読み出しを行う。
【００５１】
上述のタグ情報読み出し動作は、ＲＦリーダ４と出力部５により実現される。その具体的な動作は、以下の「（２−２）動作詳細」の通りである。
【００５２】
（２−２）動作詳細
まず、ＲＦリーダ４は、所定のタイミングになると、ＲＦタグ７からタグ情報を読み出す為、図３に示されるように、電波をロール紙６に向けて送信する（Ｓ１）。
【００５３】
上述の所定のタイミングは、一定間隔毎のタイミングであり、本実施形態のプリンタ装置の製造者によってＲＦリーダ４に設定される。
【００５４】
次に、ロール紙６のＲＦタグ７は、ＲＦリーダ４からの電波を受信すると、当該電波を電源として、ＩＣメモリチップに記憶するタグ情報を電波として送信する（Ｓ２）。
【００５５】
次に、ＲＦリーダ４は、ＲＦタグ７から電波を受信すると、受信した電波からタグ情報を抽出し、抽出したタグ情報を電気信号として出力部５に出力する（Ｓ３）。すなわち、ＲＦリーダ４は、タグ情報を読み出すと、読み出したタグ情報を電気信号として出力部５に出力する。
【００５６】
次に、出力部５は、ＲＦリーダ４から電気信号が入力されると、入力された電気信号からタグ情報を抽出し、抽出したタグ情報をメモリに記憶すると共に、レジスタに値１を書き込む（Ｓ４）。
【００５７】
本実施形態のプリンタ装置は、所定のタイミングになる毎に、上述のＳ１〜Ｓ４の処理を行う。その結果、ＲＦリーダ４がタグ情報を読み出し、出力部５のレジスタには値１が書き込まれていく。
【００５８】
ここでは、ＲＦタグ７が貼り付けられた部分がまだロール紙６からプリントアウトされていない。すなわち、ロール紙６にＲＦタグ７が存在している。その為、ＲＦリーダ４がＲＦタグ７からタグ情報を読み出し、出力部５のレジスタは値１が書き込まれていく。
【００５９】
上述のレジスタは、ＲＦリーダ４がＲＦタグ７からタグ情報を読み出し、その結果、電気信号が出力部５に入力されるときに、値１が書き込まれるレジスタである。出力部５のレジスタは、以下、「入力確認レジスタ」というものとする。
【００６０】
（３）判別動作（出力部５の動作）
（３−１）動作概要
次に、本実施形態のプリンタ装置は、プリントアウト処理後、プリントアウト処理によって、ＲＦタグ７が貼付されている部分がロール紙６から切断・排紙され、ＲＦリーダ４がタグ情報を読み出せなくなったのか否かを判別する。
【００６１】
（３−２）動作詳細
上述の判別は、ＲＦリーダ４から電気信号が入力されなくなったか否かを出力部５が判別することで実現可能である。具体的には、上述の判別は、入力確認レジスタに値１が書き込まれない状態か否かを出力部５が判別することで実現可能である。
【００６２】
ＲＦリーダ４がタグ情報を読み出せなくなったときには、Ｓ３において出力部５に電気信号が入力されなくなり、入力確認レジスタに値１が書き込まれない状態となるからである。出力部５は、以下のＳ１０〜Ｓ１４の処理を実施することで、入力確認レジスタに値１が書き込まれない状態となっているか否かを判別する。
【００６３】
なお、出力部５は、以下のＳ１０〜Ｓ１４の処理を、Ｓ４の処理を実施する回路とは異なる回路で実施するものとする。出力部５は、Ｓ４の処理と並行して、Ｓ１０〜Ｓ１４の処理を実施する為である。
【００６４】
以下、Ｓ１０〜Ｓ１４の処理について説明する。
【００６５】
まず、出力部５は、図４に示されるように、プリントアウト完了を示す信号が切断排紙部３から入力されると、入力確認レジスタに値０を書き込む（Ｓ１０）。
【００６６】
次に、出力部５は、自身に備わる計時機能により、時間の計測を開始する（Ｓ１１）。
【００６７】
次に、出力部５は、計時機能によって計測される時間が所定時間以上となったか否かを判別する（Ｓ１２）。
【００６８】
Ｓ１１、Ｓ１２の処理は、次に入力確認レジスタに値１が書き込まれるタイミングを待つ為の処理である。その為、Ｓ１２の所定時間は、入力確認レジスタに値１が書き込まれるタイミング間隔、具体的には、Ｓ１の所定のタイミング間の時間よりも十分長い時間である。
【００６９】
次に、出力部５は、計時機能によって計測される時間が所定時間以上となっていない場合（Ｓ１２でＮｏの場合）には、再度Ｓ１２の判別を行い、入力確認レジスタに値１が書き込まれるタイミングを待つ。
【００７０】
その後、出力部５は、計時機能によって計測される時間が所定時間以上となった場合、入力確認レジスタが０のままか否かを判別する（Ｓ１３）。すなわち、出力部５は、入力確認レジスタに値１が書き込まれない状態となっているのか否かを判別する。
【００７１】
（４）ＲＦリーダ４がタグ情報を読み出せている場合の動作（出力部５の動作）
（４−１）動作概要
次に、本実施形態のプリンタ装置は、上述の判別動作において、ＲＦリーダ４がタグ情報を読み出せていると判別した場合には、特に何もせず、次にプリントアウト処理が行われるのを待つ。
【００７２】
（４−２）動作詳細
具体的には、出力部５は、上述のＳ１３の判別において、入力確認レジスタの値が値０のままではない場合（Ｓ１３でＮｏの場合）、すなわち、入力確認レジスタに値１が書き込まれている場合は、何もせず、プリントアウト完了を示す信号が入力されるのを待つ。
【００７３】
なぜなら、入力確認レジスタに値１が書き込まれている場合には、ＲＦリーダ４から電気信号が出力部５に入力されており、そのとき、ＲＦリーダ４はタグ情報を読み出せているからである。ＲＦリーダ４がタグ情報を読み出せている場合には、ＲＦタグ７が貼り付けられた部分がロール紙６から切断・排紙されておらず、ロール紙６の残量も所定量以下（ＲＦタグ７が貼付されている部分から芯までの長さ以下）となっていない。ロール紙６の残量が所定量以下でないので、本実施形態のプリンタ装置の出力部５は、ユーザに通知する等の処理を行わず、次にプリントアウト処理が行われるのを待つ。
【００７４】
（５）ＲＦリーダ４がタグ情報を読み出せなくなった場合の動作
その後、プリントアウト処理が繰り返されることにより、ロール紙６からＲＦタグ７が貼り付けられている部分がプリントアウト（印刷、切断及び排紙）されたとする。ロール紙６にはＲＦタグ７が存在しなくなる。
【００７５】
（５−１）Ｓ３、Ｓ４の処理
そのとき、ＲＦタグ７からの電波はＲＦリーダ４に届かない。その為、本実施形態のプリンタ装置のＲＦリーダ４は、上述のＳ３の処理を実施できず、タグ情報を読み出せなくなる。ＲＦリーダ４がタグ情報を読み出せなくなると、出力部５にＲＦリーダ４から電気信号が出力されなくなる。出力部５に電気信号が入力されないことで、Ｓ４の処理が実施されず、入力確認レジスタに値１が書き込まれない状態となる。
【００７６】
（５−２）Ｓ１０〜Ｓ１３の処理
一方、本実施形態のプリンタ装置は、プリントアウト処理の後、上述の「（３）判別動作」、すなわち、ＲＦリーダ４がタグ情報を読み出せなくなったか否かの判別を行う。
【００７７】
具体的には、出力部５が、上述のＳ１０〜Ｓ１３の処理を実施し、入力確認レジスタに値１が書き込まれない状態か否かを判別する。
【００７８】
ここでは、入力確認レジスタに値１が書き込まれない状態となっているので、出力部５は、Ｓ１３において、入力確認レジスタの値が値０のままで、入力確認レジスタに値１が書き込まれない状態と判別する。
【００７９】
（５−３）通知動作
出力部５は、入力確認レジスタの値が値０のままで、入力確認レジスタに値１が書き込まれない状態の場合（Ｓ１３でＹｅｓの場合）には、図４に示されるように、自身に備わるＬＥＤを点灯する（Ｓ１５）。
【００８０】
なぜなら、入力確認レジスタに値１が書き込まれない状態のときには、ＲＦリーダ４がタグ情報を読み出せていないときだからである。
【００８１】
上述の動作の通り、本実施形態のプリンタ装置の出力部５は、ＲＦリーダ４がタグ情報を読み出せていないときに、ＬＥＤを点灯する。そのとき、ロール紙６からＲＦタグ７が貼付されている部分がプリントアウトされており、ロール紙６の残量が所定量以下（すなわち、ＲＦタグ７が貼付されている部分から芯までの長さ以下）になっている。出力部５は、ＬＥＤを点灯することで、ロール紙６の残量が所定量以下になったことをユーザに通知することができる。
【００８２】
（５−４）動作まとめ
上述のように、本実施形態のプリンタ装置は、ＲＦタグ７が貼り付けられた部分がロール紙６からプリントアウトされ、ＲＦリーダ４がタグ情報を読み出せなくなったときに、ＬＥＤを点灯する。そのとき、ロール紙６の残量が所定量以下（具体的には、ＲＦタグが貼付されている部分から芯までの長さ以下）となっており、本実施形態のプリンタ装置は、ロール紙６の残量が所定量以下となっていることをユーザに通知することができる。
【００８３】
（６）ＲＦタグ７が複数ロール紙６に備わる場合について
上記では、ロール紙６にＲＦタグ７が１つ備わる場合について説明した。ロール紙６には、複数のＲＦタグ７が備わっていてもよい。その場合、本実施形態のプリンタ装置の出力部５は、最も巻芯に近いＲＦタグ７が貼付されている部分がプリントアウトされたときに、ＬＥＤを点灯することとなる。最も巻芯に近いＲＦタグ７が貼付されている部分が最後にプリントアウトされたときに、ＲＦタグ７からの電波が本実施形態のプリンタ装置に届かなくなるからである。本実施形態のプリンタ装置は、ＬＥＤを点灯することで、ロール紙６の残量が、最も巻芯に近いＲＦタグ７が貼付されている部分から芯までの長さ以下になっていることをユーザに通知する。
【００８４】
（７）ロール紙の残量を随時表示する動作
（７−１）動作概略
ロール紙６には、複数のＲＦタグ７が、引き出される方向に一定間隔毎（例えば１０ｍ毎）に貼り付けられてもよい。ロール紙６は、引き出され、プリントアウトされていくと、貼付されているＲＦタグ７の数が徐々に減っていく。
【００８５】
本実施形態のプリンタ装置は、ロール紙６に貼付されているＲＦタグ７の数をカウントし、カウントした数に応じて、ロール紙６の残量値をディスプレイに表示してもよい。
【００８６】
上述の動作は、本実施形態のプリンタ装置のＲＦリーダ４と出力部５が以下の通りに動作することで実現される。なお、ＲＦタグ７各々には、ＲＦタグを示す識別子（以下、「タグ識別子」という）がタグ情報として書き込まれているものとする。
【００８７】
（７−２）動作詳細
（７−２−１）Ｓ１〜Ｓ３の処理
まず、ＲＦリーダ４は、Ｓ１の処理を行った後、ロール紙６に貼付されているＲＦタグ７各々から電波を受信する。ＲＦタグ７は、各々、異なる周波数の電波を送信するものであってもよい。
【００８８】
ＲＦリーダ４は、Ｓ３の処理において、各ＲＦタグ７から受信した電波毎にタグ情報を抽出し、抽出したタグ情報を電気信号として出力部５に出力する。
【００８９】
（７−２−２）Ｓ４の処理
次に、出力部５は、Ｓ４の処理において、電気信号がＲＦリーダ４から入力される毎にタグ情報を抽出し、さらに抽出したタグ情報からタグ識別子を抽出する。出力部５は、抽出したタグ識別子をメモリに記憶する。
【００９０】
タグ識別子が記憶されたメモリには、対応表が本実施形態のプリンタ装置の製造者によって書き込まれている。対応表とは、タグ識別子の数と、当該タグ識別子の数があるときのロール紙６の残量値と、が対応づけられた表である。
【００９１】
（７−２−３）Ｓ４後の処理
出力部５は、Ｓ４の処理後、メモリに記憶するタグ識別子の数をカウントする。カウントされたタグ識別子の数は、ロール紙６に貼付されているＲＦタグ７の数に相当する。出力部５は、タグ識別子の数をカウントすると、カウントした数に対応するロール紙６の残量値を対応表から求め、求めた残量値を示す電気信号をディスプレイに出力する。ディスプレイは、入力された電気信号が示すロール紙６の残量値を表示する。
【００９２】
最後に、出力部５は、ロール紙６の残量値を示す電気信号を出力した後、メモリに記憶するタグ識別子を削除する。次に（７−２−１）〜（７−２−３）の処理を実施したときに、正しくロール紙６に貼付されているＲＦタグ７の数をカウントできるようにする為である。
【００９３】
［効果の説明］
本実施形態によれば、プリンタ装置は、ロール紙の残量が所定量（具体的には、ＲＦタグが貼付されている部分から芯までの長さ）以下になったことを正確にユーザに通知することができる。
【００９４】
その理由を以下に説明する。
【００９５】
まず、本実施形態のプリンタ装置は、ロール紙からＲＦタグが貼付されている部分が切断・排紙され、ＲＦタグからタグ情報を読み出せなくなったときには、ＬＥＤを点灯する。そのときのロール紙の残量は、物理的に所定量以下（具体的には、ＲＦタグが貼付されている部分から芯までの長さ以下）である。すなわち、本実施形態のプリンタ装置は、ロール紙の残量が、物理的に所定量以下となったときにＬＥＤを点灯する。その為、本実施形態のプリンタ装置は、ロール紙の残量が所定量以下になったことを正確にユーザに通知することができる。
【００９６】
≪第２の実施の形態≫
次に、本発明の第２の実施の形態について説明する。
【００９７】
まず、ロール紙には、一般的に、印字面を外側にして巻いた表巻きと呼ばれるタイプと、印字面を内側にして巻いた裏巻きと呼ばれるタイプと、の２種類が存在する。
【００９８】
本実施形態のプリンタ装置に装填されるロール紙のＲＦタグには、当該ロール紙のタイプを示すタイプ情報が書き込まれている。本実施形態のプリンタ装置は、ＲＦタグから読み取ったタイプ情報から、装填されたロール紙が、装填されるべきタイプのものか否かを判別する。本実施形態のプリンタ装置は、装填されたロール紙が、装填されるべきタイプのものでないときには、正しいタイプのロール紙の装填をユーザに促す音声を発する。
【００９９】
以下に、第２の実施の形態のプリンタ装置の構成と動作について説明する。図５は、本発明の第２の実施の形態におけるプリンタ装置の構成例を示す図である。
【０１００】
［構成の説明］
（１）第２の実施形態のプリンタ装置の構成
第２の実施形態のプリンタ装置は、図５に示されるように、出力部５の代わりに、出力部２５を備える。出力部２５は、図示していないが、スピーカーを備える。
【０１０１】
また、本実施形態のプリンタ装置には、ロール紙６の代わりに、ロール紙２６が装填される。ロール紙２６は、ＲＦタグ７の代わりに、ＲＦタグ２７が貼り付けられたロール紙である。ＲＦタグ２７には、ＲＦタグ２７を示す識別子以外にも、ロール紙２６のタイプを示す情報（表巻きか、裏巻きかを示す情報）やロール紙２６の消費期限を示す年月日が、タグ情報として書き込まれている。
【０１０２】
（２）出力部２５の機能
出力部２５には、本実施形態のプリンタ装置に装填されるべきロール紙のタイプを示す情報（以下、「装填タイプ情報」という）が本実施形態のプリンタ装置の製造者によって設定される。装填タイプ情報は、表巻き、又は裏巻きのいずれかを示す情報である。
【０１０３】
また、出力部２５には、誤ったタイプのロール紙が装填されたことを示す音声データが本実施形態のプリンタ装置の製造者によって設定される。上述の音声データは、「装填されたロール紙は印字面が異なるタイプです。正しいタイプのロール紙を装填して下さい」というＷＡＶＥ形式の音声データであってもよい。ＷＡＶＥは、ＲＩＦＦ（Ｒｅｓｏｕｒｃｅ  Ｉｎｔｅｒｃｈａｎｇｅ  Ｆｉｌｅ  Ｆｏｒｍａｔ）  Ｗａｖｅｆｏｒｍ  Ａｕｄｉｏ  Ｆｏｒｍａｔ)の略称である。
【０１０４】
出力部５は、入力された電気信号からタグ情報を抽出すると、抽出したタグ情報からロール紙２６のタイプを示す情報（以下、「ロール紙タイプ情報」という）を抽出する。
【０１０５】
出力部５は、抽出したロール紙タイプ情報が、自身に設定されている装填タイプ情報と同じか否かを判別する。
【０１０６】
出力部５は、抽出したロール紙タイプ情報が、自身に設定されている装填タイプ情報と異なる場合には、「装填されたロール紙は印字面が異なるタイプです。正しいタイプのロール紙を装填して下さい」との音声データを、電気信号としてスピーカーに出力する。ユーザに、正しいタイプのロール紙を装填することを促す為である。スピーカーは、入力された音声データを音声として出力する。
【０１０７】
一方、出力部５は、抽出したロール紙タイプ情報が、自身に設定されている装填タイプ情報と同じである場合には、特に何もせず、次にタグ情報がＲＦリーダ４から入力されるのを待つ。
【０１０８】
上述した以外の構成や機能は、第１の実施の形態におけるプリンタ装置と同じであるので、同一の符号を付して説明を省略する。
【０１０９】
[動作の説明]
次に、本実施形態のプリンタ装置の動作を説明する。
【０１１０】
なお、本実施形態のプリンタ装置は、裏巻きタイプのロール紙が装填される装置であり、出力部２５には、本実施形態のプリンタ装置の製造者によって、裏巻きを示す装填タイプ情報が設定されているものとする。また、ロール紙２６は、表巻きタイプのロール紙であり、ロール紙２６のＲＦタグ２７には、表巻きを示すロール紙タイプ情報が書き込まれている。
【０１１１】
そのとき、本実施形態のプリンタ装置のユーザが、誤って表巻きタイプのロール紙２６を本実施形態のプリンタ装置に装填してしまったとする。本実施形態のプリンタ装置は、以下のように動作する。図６は、本発明の第２の実施の形態におけるプリンタ装置の動作を説明する為の図である。
【０１１２】
（１）誤ったロール紙が装填されたことを通知する動作
まず、本実施形態のプリンタ装置は、第１の実施形態のプリンタ装置と同様、所定のタイミングになると、図３に示されるように、Ｓ１の処理を実施する。そのとき、ロール紙２６にはＲＦタグ２７が存在するので、本実施形態のプリンタ装置は、Ｓ２〜Ｓ４を実施する。その結果、出力部２５は、Ｓ４で、ＲＦタグ２７からのタグ情報を抽出することとなる。
【０１１３】
次に、出力部２５は、図６に示されるように、Ｓ４の後、抽出したタグ情報からロール紙２６のタイプを示す情報（すなわち、ロール紙タイプ情報）を抽出する（Ｓ２０）。
【０１１４】
次に、出力部２５は、抽出したロール紙タイプ情報が、自身に設定されている装填タイプ情報と同じか否かを判別する（Ｓ２１）。
【０１１５】
ロール紙タイプ情報は表巻きを示す情報であり、装填タイプ情報は裏巻きを示す情報である。
【０１１６】
次に、出力部２５は、抽出したロール紙タイプ情報が、自身に設定されている装填タイプ情報と異なる場合（Ｓ２１でＮｏの場合）には、所定の音声データを電気信号としてスピーカーに出力する（Ｓ２２）。
【０１１７】
上述の所定の音声データは、「装填されたロール紙は印字面が異なるタイプです。正しいタイプのロール紙を装填して下さい」との音声データであってもよい。スピーカーは、入力された音声データを音声として出力し、正しいタイプのロール紙の装填をユーザに促す。上述のスピーカーに出力される電気信号は、正しいタイプのロール紙の装填を促す信号である。
【０１１８】
なお、出力部２５は、抽出したロール紙タイプ情報が、自身に設定されている装填タイプ情報と同じである場合（Ｓ２１でＹｅｓの場合）には、特に何もせず、次にＲＦリーダ４から電気信号が入力されるのを待つ。
【０１１９】
（２）消費期限が過ぎたロール紙が装填されたことを通知する動作
ロール紙（感熱紙）には、発色低下を防ぐため、消費期限が決められているものがある。本実施形態のプリンタ装置は、消費期限が過ぎたロール紙（感熱紙）が装填されたときには、以下のように動作し、消費期限内のロール紙を装填するようユーザを促してもよい。
【０１２０】
まず、図示していないが、出力部２５は、Ｓ４とＳ２０〜Ｓ２２を行った後、Ｓ４で抽出したタグ情報から消費期限を示す年月日を抽出する。
【０１２１】
消費期限を示す年月日は、ＩＳＯ（Ｉｎｔｅｒｎａｔｉｏｎａｌ  Ｏｒｇａｎｉｚａｔｉｏｎ  Ｆｏｒ  Ｓｔａｎｄａｒｄｉｚａｔｉｏｎ）８６０１に規定されるＹＹＹＹＭＭＤＤ方式で表された番号列であるものとする。例えば、ＹＹＹＹＭＭＤＤ方式で表された番号列が２０１５０１０２であるとき、当該番号列は２０１５年１月２日を示している。すなわち、２０１５は年を示す番号であり、０１は月を示す番号であり、０２は日を示す番号である。
【０１２２】
次に、出力部２５は、ロール紙２６の消費期限を示す年月日を抽出すると、自身に備わるカレンダー機能によって求められる現在の年月日が、抽出した年月日を過ぎているか否かを判別する。具体的には、出力部２５は、以下の条件１〜条件３のいずれかに該当するかを判別する。現在の年月日もＹＹＹＹＭＭＤＤ方式で表された番号列である。
【０１２３】
（条件１）抽出した年月日の年を示す番号が、現在の年月日の年を示す番号より大きい。
【０１２４】
（条件２）消費期限（年月日）の年を示す番号が、現在の年月日の年を示す番号と等しいが、消費期限（年月日）の月を示す番号が、現在の年月日の月を示す番号より大きい。
【０１２５】
（条件３）消費期限（年月日）の年と月を示す番号が、現在の年月日の年と月を示す番号と等しいが、消費期限（年月日）の日を示す番号が、現在の年月日の日を示す番号より大きい。
【０１２６】
次に、出力部２５は、現在の年月日が、抽出した消費期限（年月日）を過ぎている場合、具体的には条件１〜条件３のいずれかが満される場合には、所定の音声データを電気信号としてスピーカーに出力する。
【０１２７】
上述の所定の音声データは、「消費期限が過ぎたロール紙が装填されています。消費期限内のロール紙を装填して下さい。」との音声データである。スピーカーは、入力された音声データを音声として出力し、消費期限内のロール紙を装填するようユーザを促す。
【０１２８】
［効果の説明］
本実施形態のプリンタ装置は、誤ったタイプのロール紙が装填されたときに、正しいタイプのロール紙の装填をユーザに促すことができる。
【０１２９】
なぜなら、本実施形態のプリンタ装置は、装填されたロール紙のタイプを示す情報をＲＦタグから読み取り、読み取った情報が、装置に装填されるべきロール紙のタイプを示す所定の情報と異なれば、正しいタイプのロール紙の装填を促す音声を発するからである。
【０１３０】
なお、本実施形態のプリンタ装置は、第１の実施形態のプリンタ装置と同じ処理を行う為、第１の実施形態のプリンタ装置と同様、ロール紙の残量が所定量以下になったことを正確にユーザに通知することができる。
【０１３１】
さらに、本実施形態のプリンタ装置は、消費期限が過ぎたロール紙が装填されていることをユーザに通知することができる。なぜなら、本実施形態のプリンタ装置は、装填されたロール紙の消費期限を示す年月日をＲＦタグから読み取り、読み取った年月日が、現在の年月日を過ぎていれば、装填されているロール紙が消費期限を過ぎていることを示す音声を発するからである。
【０１３２】
≪第３の実施の形態≫
本実施形態のプリンタ装置は、ロール紙の残量が所定量以下となったときに、印刷データに含まれる広告データを印刷しないようにする装置である。本実施形態のプリンタ装置は、印刷量を減らすので、ロール紙の延命を図ることができる。
【０１３３】
以下に、第３の実施の形態のプリンタ装置の構成と動作について説明する。図７は、本発明の第３の実施の形態におけるプリンタ装置の構成例を示す図である。
【０１３４】
［構成の説明］
（１）第３の実施形態のプリンタ装置の構成
第３の実施形態のプリンタ装置は、図７に示されるように、印刷機能部１と出力部５の代わりに、印刷機能部３１と出力部３５を備える。印刷機能部３１には、ＰＣの代わりに、携帯端末（図示せず）が接続される。
【０１３５】
印刷機能部３１は、携帯端末（図示せず）から印刷データが入力される。印刷データは広告データを含む。広告データは、印刷データの最後に添付され、その先頭には、広告データを示す識別子が付与されている。広告データを示す識別子（以下、「広告識別子」という）は、ＩＤＦＡ（Ｉｄｅｎｔｉｆｉｃａｔｉｏｎ  Ｆｏｒ  Ａｄｖｅｒｔｉｓｅｒｓ）や広告を示す文字列であってもよい。
【０１３６】
（２）出力部３５の機能
出力部３５は、ロール紙６の残量が所定量以下となったことを知らせるＬＥＤを点灯させた後に、印刷量低減を指示する電気信号（以下、「印刷量低減信号」という）を印刷機能部３１に出力する。
【０１３７】
（３）印刷機能部３１の機能
印刷機能部３１は、印刷量低減信号が入力された後は、携帯端末（図示せず）から入力される印刷データから広告データを削除する。具体的には、印刷機能部３１は、入力された印刷データから、広告データを示す広告識別子以降のデータを削除する。印刷機能部３１は、広告データを削除した印刷データを、一般的なプリンタ機能により、ロール紙６の感熱紙に印刷する。
【０１３８】
上述した以外の構成や機能は、第１の実施の形態におけるプリンタ装置と同じであるので、同一の符号を付して説明を省略する。
【０１３９】
[動作の説明]
次に、本実施形態のプリンタ装置の動作を説明する。図８は、本発明の第３の実施の形態におけるプリンタ装置の動作を説明する為の図である。
【０１４０】
まず、出力部３５は、Ｓ１４の処理を実施して、ロール紙６の残量が所定量以下となったことを知らせるＬＥＤを点灯させた後、印刷量低減を指示する印刷量低減信号を印刷機能部３１に出力する（Ｓ３０）。
【０１４１】
その後、印刷機能部３１に、携帯端末（図示せず）から印刷データが入力されたとする。
【０１４２】
印刷機能部３１は、入力された印刷データから広告データを削除する（Ｓ３１）。
【０１４３】
具体的には、印刷機能部３１は、入力された印刷データから、広告データを示す広告識別子以降のデータを削除する。
【０１４４】
次に、印刷機能部３１は、広告データを削除した印刷データを、一般的なプリンタ機能により、ロール紙６から引き出した感熱紙に印刷する（Ｓ３２）。
【０１４５】
その他の動作については、第１の実施の形態の動作と同様である為、詳細の説明を省略する。
【０１４６】
［効果の説明］
本実施形態のプリンタ装置は、ロール紙の残量が所定量以下となったときに、ロール紙の延命を図ることができる。
【０１４７】
なぜなら、本実施形態のプリンタ装置は、ロール紙の残量が所定量以下となったときに、印刷データに含まれる広告データを削除し、印刷量を減らすからである。その結果、本実施形態のプリンタ装置は、使用する感熱紙の量（ロール紙６から引き出す紙量）を広告データ分減らせ、ロール紙の延命を図ることができる。
【０１４８】
≪第４の実施の形態≫
図９は、本発明の第４の実施の形態における装置の構成例を示す図である。以下に、第４の実施の形態の装置の構成と動作について説明する。
【０１４９】
［構成の説明］
（１）第４の実施形態の装置の構成
第４の実施形態の装置は、図９に示されるように、読取部１００と、出力部１０１と、を備える。本実施形態の装置には、本実施形態の装置のユーザによって、一端が引き出される連続した材料２００が装備される。連続した材料２００は、本実施形態の装置内に装填されるものであってもよいし、装置外に取り付けられるものであってもよい。
【０１５０】
また、連続した材料２００は、巻芯に巻かれておいるもの、すなわち、ロール物であってもよいし、連続帳票のように折り畳まれているものであってもよい。図９では、連続した材料２００がロール物として装填されている場合を一例として示している。
【０１５１】
なお、連続した材料２００には、その製造者によって、無線タグ２０１が設けられる。連続した材料２００の製造者は、無線タグ２０１を、連続した材料２００の最後に引き出される部分に貼り付けてもよい。
【０１５２】
（２）装置１００の各部位の機能
読取部１００は、装備（例えば装填）され、一端が引き出される連続した材料２００に設けられた無線タグ２０１から情報の読み出しを行う。
【０１５３】
出力部１０１は、連続した材料２００の一部、又は全部が引き出された後に読取部１００が情報を読み出せないときには、第１の信号を出力する。
【０１５４】
[動作の説明]
次に、本実施形態の装置の動作を説明する。以下では、連続した材料２００は、ロール物であるものとして説明を行う。連続した材料２００は、以下、「ロール物２００」というものとする。
【０１５５】
（１）情報読み出し動作
まず、本実施形態の装置の読取部１００は、一定タイミング毎に、一端が引き出されるロール物２００に設けられた無線タグ２０１から情報の読み出しを行う。
【０１５６】
（２）ロール物２００の引き出し
次に、本実施形態の装置のユーザが、ロール物２００の一端を持って、ロール物２００を引き出し続けたとする。やがて、無線タグ２０１が設けられている部分についても引き出されたとする。
【０１５７】
そのとき、無線タグ２０１の電波が読取部１００に届かなくなり、本実施形態の装置の読取部１００は、無線タグ２０１から情報の読み出しを行えなくなる。
【０１５８】
（３）出力動作
本実施形態の装置の出力部１０１は、ロール物２００の一部、又は全部が引き出された後に読取部１００が情報を読み出せないときには、第１の信号を出力する。
【０１５９】
そのとき、無線タグ２０１が設けられている部分まで引き出されているので、ロール物２００の残量は所定量以下（すなわち、無線タグ２０１が設けられている部分から巻芯までの長さ以下）となっている。本実施形態の装置は、ロール物２００の残量が所定量以下（無線タグ２０１が設けられている部分から巻芯までの長さ以下）となった事をユーザに通知することができる。
【０１６０】
なお、第１の信号は、光信号であってもよい。その場合、出力部１０１には発光体が備わる。
【０１６１】
（４）ロール物２００について
ロール物２００を含め、連続した材料は、紙、布、皮、鉄板等の金属、ビニール、フィルム、又はそれらの組み合わせを含む材料を含むものであってもよい。
【０１６２】
［効果の説明］
本実施形態によれば、装置は、ロール物の残量が所定量（具体的には、無線タグが貼付されている部分から芯までの長さ）以下になったことを正確にユーザに通知することができる。
【０１６３】
その理由を以下に説明する。
【０１６４】
まず、本実施形態の装置は、ロール物から無線タグが貼付されている部分が引き出され、当該無線タグから情報を読み出せなくなったときには、信号を出力する。そのとき、ロール物の残量は、物理的に所定量以下（具体的には、無線タグが貼付されている部分から芯までの長さ以下）である。すなわち、本実施形態の装置は、ロール物の残量が、物理的に所定量以下となったときに信号を出力する。その為、本実施形態の装置は、ロール物の残量が所定量以下になったことを正確にユーザに通知することができる。
【０１６５】
なお、本実施形態の装置は、ロール物だけでなく、装置に装備される連続した材料であれば、その残量が所定量以下になったことを正確にユーザに通知することができる。
【０１６６】
なぜなら、本実施形態の装置は、装置に装備された、連続した材料から無線タグが貼付されている部分が引き出され、当該無線タグから情報を読み出せなくなったときに信号を出力するからである。信号を出力したとき、連続した材料の残量は物理的に所定量以下である。本実施形態の装置は、信号の出力により、連続した材料の残量が所定量以下になったことを正確にユーザに通知することができる。
【０１６７】
なお、上述した実施の形態は、その形態に限定されるものではなく、実施段階ではその要旨を逸脱しない範囲で種々変更可能である。
【０１６８】
さらに、上記の各実施形態の一部又は全部は、以下の付記のようにも記載されうるが、以下には限られない。
（付記１）
装備され、一端が引き出される連続した材料に設けられた無線タグから情報の読み出しを行う読取部と、
前記連続した材料の一部、又は全部が引き出された後に前記読取部が前記情報を読み出せないときには、第１の信号を出力する出力部と、
を備えることを特徴とする装置。
（付記２）
前記連続した材料は、ロール物の巻かれている材料であり、
前記出力部は、前記ロール物から前記材料の一部、又は全部が引き出された後に、前記読取部が前記情報を読み出せないときには前記第１の信号を出力する、
ことを特徴とする付記１に記載の装置。
（付記３）
前記出力部は、前記読取部が読み出した前記情報に含まれる前記ロール物の種類を示す情報が、所定の種類を示す情報と異なるときには、第２の信号を出力する、
ことを特徴とする付記２に記載の装置。
（付記４）
前記出力部は、前記読取部が読み出した前記情報に含まれる前記ロール物の消費期限を示す年月日が、現在の年月日を過ぎているときには、第３の信号を出力する、
ことを特徴とする付記２乃至３のいずれか１項に記載の装置。
（付記５）
前記ロール物から前記材料を引き出す処理部を備え、
前記出力部は、前記第１の信号を出力した後、処理低減を示す信号を出力し、
前記処理部は、前記処理低減を示す信号が入力されると、前記材料を引き出す量を所定量減らす、
ことを特徴とする付記２乃至４のいずれか１項に記載の装置。
（付記６）
前記処理部は、前記処理低減を示す信号が入力されると、前記材料を引き出す量を、入力された広告データのデータ量分減らす、
ことを特徴とする付記５に記載の装置。
（付記７）
前記読取部は、所定のタイミング毎に電波を発信し、前記発信に応じて前記無線タグから電波を受信したときには、受信した前記電波から抽出した前記情報を出力し、
前記出力部は、前記連続した材料の一部、又は全部が引き出された後に、前記所定のタイミング間の時間よりも長い所定時間内に、前記読取部から前記情報が入力されないときには、前記第１の信号を出力する、
ことを特徴とする付記１乃至６のいずれか１項に記載の装置。
（付記８）
装備され、一端が引き出される連続した材料に設けられた無線タグから情報の読み出しを行う読取ステップと、
前記連続した材料の一部、又は全部が引き出された後の前記読取ステップにおいて前記情報を読み出せないときには、第１の信号を出力する出力ステップと、を有する、
ことを特徴とする通知方法。
（付記９）
前記連続した材料は、ロール物の巻かれている材料であり、
前記ロール物から前記材料の一部、又は全部が引き出された後の前記読取ステップにおいて前記情報を読み出せないときには前記第１の信号を出力する、
ことを特徴とする付記８に記載の通知方法。
（付記１０）
前記読取ステップにおいて読み出された前記情報に含まれる前記ロール物の種類を示す情報が、所定の種類を示す情報と異なるときには、第２の信号を出力する、
ことを特徴とする付記９に記載の通知方法。
（付記１１）
前記読取ステップにおいて読み出された前記情報に含まれる前記ロール物の消費期限を示す年月日が、現在の年月日を過ぎているときには、第３の信号を出力する、
ことを特徴とする付記９乃至１０のいずれか１項に記載の通知方法。
（付記１２）
前記ロール物から前記材料を引き出す処理ステップを有し、
前記第１の信号を出力した後の前記処理ステップにおいては、前記材料を引き出す量を所定量減らす、
ことを特徴とする付記９乃至１１のいずれか１項に記載の通知方法。
（付記１３）
前記第１の信号を出力した後の前記処理ステップにおいては、前記材料を引き出す量を、入力された広告データのデータ量分減らす、
ことを特徴とする付記１２に記載の通知方法。
（付記１４）
前記読取ステップにおいては、所定のタイミング毎に発信した電波に応じて前記無線タグから電波を受信したときには、受信した前記電波から抽出した前記情報を出力し、
前記出力ステップにおいては、前記連続した材料の一部、又は全部が引き出された後に、前記所定のタイミング間の時間よりも長い所定時間の間に、前記情報が入力されないときに、前記第１の信号を出力する、
ことを特徴とする付記８乃至１３のいずれか１項に記載の通知方法。
（付記１５）
前記連続した材料は、折り畳まれた材料である、
ことを特徴とする付記１乃至７のいずれか１項に記載の装置。
（付記１６）
前記連続した材料は、紙、布、皮、金属、ビニール、フィルムのいずれかを含む、
ことを特徴とする付記１乃至７のいずれか１項、又は付記１５に記載の装置。
（付記１７）
引き出した前記連続した材料を、前記無線タグの通信方式で前記読取部と通信できない所定の場所に移動させる移動部と、を備え、
前記出力部は、前記移動後に前記読取部が前記情報を読み出せないときには、前記第１の信号を出力する、
ことを特徴とする付記１乃至７のいずれか１項、又は付記１５乃至１６のいずれか１項に記載の装置。
（付記１８）
前記移動部は、引き出した前記材料を切断して、前記所定の場所に通じる穴に落下させる、
ことを特徴とする付記１７に記載の装置。
（付記１９）
前記ロール物の種類を示す情報は、表巻き、若しくは裏巻きを示す情報である、
ことを特徴とする付記３に記載の装置。
（付記２０）
前記連続した材料は、引き出される方向に、固有の情報が書き込まれた前記無線タグが複数設けられた材料であり、
前記出力部は、前記読取部が読み出した前記固有の情報の数に対応する信号を出力する、
ことを特徴とする付記１乃至７のいずれか１項、又は付記１５乃至１９のいずれか１項に記載の装置。
【符号の説明】
【０１６９】
１、３１    印刷機能部
２、１１、１２、１３    回転ローラ
３    切断排紙部
４    ＲＦ（Ｒａｄｉｏ  Ｆｒｅｑｕｅｎｃｙ）リーダ
５、２５、３５    出力部
６、２６    ロール紙
７、２７    ＲＦタグ
１４    サーマルヘッド
１００    読取部
１０１    出力部
２００    連続した材料
２０１    無線タグ
【図１】
0006605893.tif 000002
【図２】
0006605893.tif 000003
【図３】
0006605893.tif 000004
【図４】
0006605893.tif 000005
【図５】
0006605893.tif 000006
【図６】
0006605893.tif 000007
【図７】
0006605893.tif 000008
【図８】
0006605893.tif 000009
【図９】
0006605893.tif 000010